(57)【要約】【課題】封書作製ジョブを停止させることなく、封緘した封書と封緘しない封書を連続的に作製する。【解決手段】内容物が封筒に挿入された状態で封緘処理を実行可能な封緘処理部４６を備えた封書作製装置１であって、宛先の属性に対応させて、封書を封緘する封緘命令、又は封書を未封緘とする未封緘命令を生成する封緘命令生成部２１と、封緘処理部４６を制御し、封緘命令が生成された場合は封筒を封緘し、未封緘命令が生成された場合は封筒を未封緘とする封緘制御部４９とを備え、入力される宛先に基づいて、該宛先の属性が記憶されたデータベース２４を参照し、前記属性に応じて封緘命令又は未封緘命令を生成して印刷装置又は封入封緘装置の少なくともいずれかへ出力する。【選択図】図１
2019089588.tif 000002
【特許請求の範囲】
【請求項１】
内容物が封筒に挿入された状態で封緘処理を実行可能な封緘処理部を備えた封書作製装置であって、
宛先の属性に対応させて、封書を封緘する封緘命令、又は封書を未封緘とする未封緘命令を生成する封緘命令生成部と、
前記封緘処理部を制御し、前記封緘命令が生成された場合は封筒を封緘し、前記未封緘命令が生成された場合は封筒を未封緘とする封緘制御部と
を備えることを特徴とする封書作製装置。
【請求項２】
前記封書作製装置は、印刷制御装置と印刷装置と封入封緘装置とで構成され、
前記封緘命令生成部は、前記印刷制御装置に配置され、
入力される宛先に基づいて、該宛先の属性が記憶されたデータベースを参照し、前記属性に応じて前記封緘命令又は前記未封緘命令を生成して前記印刷装置又は前記封入封緘装置の少なくともいずれかへ出力する
ことを特徴とする請求項１に記載の封書作製装置。
【請求項３】
前記封書作製装置は、印刷制御装置と印刷装置と封入封緘装置とで構成され、
前記封緘命令生成部は、前記印刷装置に配置され、
前記印刷制御装置からの印刷指令を受信し、該印刷指令を解析して該印刷指令に含まれる宛先を抽出し、該宛先の属性が記憶されたデータベースを参照し、前記属性に応じて前記封緘命令又は前記未封緘命令を生成して前記封入封緘装置へ出力する
ことを特徴とする請求項１に記載の封書作製装置。
【請求項４】
封筒を形成する封筒用紙は、
該封筒用紙の搬送方向に直交する向きでお互いに間隔を空けて設けられる第１折り線と第２折り線を有し、
前記封緘命令生成部より前記未封緘命令が生成された場合、前記印刷装置により前記第１折り線又は第２折り線の少なくともどちらか一方の折り線を跨ぐ前記封筒用紙の表面に、該封筒用紙で形成される封筒が未封緘であることを表す未封緘マークが印刷される
ことを特徴とする請求項２又は３に記載の封書作製装置。
【発明の詳細な説明】
【技術分野】
【０００１】
本発明は、封書を作製する封書作製装置に関する。
【背景技術】
【０００２】
内容物が封筒に挿入された状態で封緘処理を実行する封書作製装置は、例えば特許文献１に開示されている。特許文献１の技術は、内容物の組み合わせが変わった場合に、内容物が正しく選択されているかをチェックする目的で、封書作製装置の稼働を自動的に停止させるものである。
【先行技術文献】
【特許文献】
【０００３】
【特許文献１】特開平１１−５９０７８号公報
【発明の概要】
【発明が解決しようとする課題】
【０００４】
しかし、特許文献１の技術では、内容物の組み合わせが変わった場合に、封書作製装置の稼働を停止させるので、封書作製ジョブの生産性を低下させてしまう課題がある。
【０００５】
本発明は上記に鑑みてなされたもので、封書作製ジョブを停止させることなく、封緘した封書と封緘しない（以降、未封緘）封書を連続的に作製できる封書作製装置を提供することを目的とする。
【課題を解決するための手段】
【０００６】
上記目的を達成するため、本発明に係る封書作製装置は、内容物が封筒に挿入された状態で封緘処理を実行可能な封緘処理部を備えた封書作製装置であって、宛先の属性に対応させて、封書を封緘する封緘命令、又は封書を未封緘とする未封緘命令を生成する封緘命令生成部と、前記封緘処理部を制御し、前記封緘命令が生成された場合は封筒を封緘し、前記未封緘命令が生成された場合は封筒を未封緘とする封緘制御部とを備えることにある。
【発明の効果】
【０００７】
本発明によれば、宛先の属性に対応させて封緘命令と未封緘命令を生成し、それぞれの命令に応じて封緘処理を実行するので、封書作製ジョブを停止させることなく、封緘した封書と未封緘の封書を連続的に作製できる。よって、封書作製ジョブの生産性を向上させることができる。
【図面の簡単な説明】
【０００８】
【図１】本発明の第１実施形態に係る封書作製装置の機能構成例を示すブロック図である。
【図２】図１に示す封書作製装置の封緘命令生成部の処理手順を示すフローチャートである。
【図３】図１に示す封書作製装置のデータベースのレコードの例を示す図である。
【図４】図１に示す封書作製装置の印刷装置の封緘命令抽出部の処理手順を示すフローチャートである。
【図５】図１に示す封入封緘装置の構成例を示す図である。
【図６】封筒用紙の内容物（以降、封入物）が入れられる側の面（裏側）の平面図の一例を示す図である。
【図７】封筒用紙が折られる様子の一例を示す図である。
【図８】図１に示す封入封緘装置の封緘制御部の処理手順を示すフローチャートである。
【図９】本発明の第２実施形態に係る封書作製装置の機能構成例を示すブロック図である。
【図１０】図９に示す印刷装置の封緘指令生成部の処理手順を示すフローチャートである。
【図１１】本発明の第３実施形態に係る封書作製装置の機能構成例を示すブロック図である。
【図１２】図１１に示す封緘命令生成部と封緘制御部の処理手順を示すフローチャートである。
【発明を実施するための形態】
【０００９】
以下、本発明の実施の形態について、図面を参照して説明する。なお、各図面を通じて同一若しくは同等の部位や構成要素には、同一もしくは同等の符号を付し、その説明を省略もしくは簡略化する。
【００１０】
本発明の実施の形態に係る封書作製装置は、例えば、印刷制御装置、印刷装置、及び封入封緘装置で構成され、封緘した封書と未封緘の封書を連続的に作製する装置である。封書作製装置は、封緘命令生成部と封緘制御部を備える。封緘制御部は、封入封緘装置に配置される。一方、封緘命令生成部は、印刷制御装置、印刷装置、及び封入封緘装置の何れに配置してもよい。
【００１１】
以降において、封緘命令生成部を、例えば、印刷制御装置に配置した場合、印刷装置に配置した場合、封入封緘装置に配置した場合のそれぞれに対応する実施形態について説明する。
【００１２】
〔第１実施形態〕
図１は、第１実施形態に係る封書作製装置の機能構成例を示すブロック図である。図１に示す封書作製装置１は、印刷制御装置２０、印刷装置３０、及び封入封緘装置４０で構成され、印刷制御装置２０が封緘命令生成部２１を備える。
【００１３】
（印刷制御装置）
印刷制御装置２０は、封緘命令生成部２１とデータベース２４を備える。印刷制御装置２０は、印刷装置３０を制御する為のソフトウェアであるプリンタドライバーが実装された例えばパーソナルコンピュータで実現される。なお、パーソナルコンピュータを構成する上で必要な例えば、ＲＯＭ、ＲＡＭ、ＣＰＵ、及び一般的な機能構成部の表記は省略している。
【００１４】
印刷制御装置２０は、例えばキーボード等の周辺機器からの操作入力に基づいて、印刷情報を含む印刷指令を生成する。印刷情報は、封筒を形成する封筒用紙に印刷する宛先、及び封筒に封入する封入用紙に印刷する情報のことである。印刷指令は、例えばＰＤＬ（Page Description Language）型式で記述され、印刷情報、印刷枚数、片面/両面、及び解像度等の印刷ジョブの全てを指定する。印刷指令は、上記のプリンタドライバーが生成する。
【００１５】
封緘命令生成部２１は、その印刷情報の生成に合わせて、利用者の操作によって入力される宛先に基づき、該宛先の属性が記憶されたデータベース２４を参照する。そして、参照した属性に応じて封書を封緘する封緘命令、又は封書を未封緘とする未封緘命令を生成する。つまり、印刷制御装置２０は、外部から入力される印刷情報から、該印刷情報に対応する封筒を、封緘するか未封緘とするかの命令を含む印刷指令を生成する。
【００１６】
図２は、封緘命令生成部２１の処理手順を示すフローチャートである。封緘命令生成部２１は、外部から例えば宛先の入力があると動作を開始する（ステップＳ１のＹＥＳ）。次に封緘命令生成部２１は、入力された宛先をキーに、データベース２４を参照する（ステップＳ２）。
【００１７】
図３は、データベース２４のレコードの例を示す図である。データベース２４は、宛先と、該宛先に対応する属性とで構成される。図３の1列目は宛先である。宛先は先方の氏名（や名称）である。宛先は先方の住所を含んでもよい。2列目以降が宛先に対応する属性である。属性は、例えば、住所、請求金額、及び延滞ユーザで有るか否かの情報である。他に、性別、年齢、年収、職業、配偶者の有無、子供の有無等、属性はいくつも考えられる。図３の1行がデータベース２４の1レコードを構成する。
【００１８】
なお、データベース２４は、印刷制御装置２０がネットワークを介して通信する他の装置（サーバ）として設けてもよい。要するに、データベース２４は、封緘命令生成部２１を備える装置内部に具備しなくてもよい。以降で説明する他の実施形態においても同様である。
【００１９】
封緘命令生成部２１は、入力された宛先の属性に基づき、該宛先は未封緘対象であるか否かを判定する（ステップＳ３）。具体的には、封緘命令生成部２１は、宛先から、先方が例えば延滞ユーザであるか否かを判定する。宛先Ａの先方は、例えば延滞ユーザであるので宛先Ａの封書の印刷情報に対応させて、未封緘命令を生成する（ステップＳ４）。また、宛先Ｂの先方は、延滞ユーザでは無いので宛先Ｂの封書の印刷情報に対応させて、封緘命令を生成する（ステップＳ５）。
【００２０】
封緘命令と未封緘命令を生成する目的は、例えば督促状等の特別な書面を、封書を作製した後に封入するためである。
【００２１】
ステップＳ１〜Ｓ５の処理は、例えば宛先が入力される度に実行される。なお、封緘命令と未封緘命令を生成する処理は、全ての宛先が入力された後に一括処理しても構わない。
【００２２】
生成された封緘命令と未封緘命令は、印刷情報と対応付けられ、例えばＰＤＬ形式の印刷指令に変換される。
【００２３】
印刷指令は、印刷装置３０に入力される。また、印刷指令は、封入封緘装置４０に入力してもよい。
【００２４】
（印刷装置）
印刷装置３０は、封緘命令抽出部３１と印刷部３２を備える。封緘命令抽出部３１は、入力された印刷指令を解析して抽出した封緘命令と未封緘命令を、印刷部３２と封入封緘装置４０に送信する。印刷部３２は、封入用紙と封筒用紙のそれぞれに印刷情報を印刷する。
【００２５】
なお、印刷装置３０は、封入用紙と封筒用紙を搬送しつつ、それぞれの用紙に印刷情報を印刷する一般的なものであり、印刷に必要な一般的な機能構部を備える。図１において、例えば封入用紙と封筒用紙を搬送する搬送部、及び排紙部等の一般的な機能構成部の表記は省略している。
【００２６】
印刷装置３０は、封筒に封入する封入用紙の枚数が例えば2枚の場合は、印刷済みの封入用紙を2枚印刷した後に1枚の封筒用紙を印刷する。印刷装置３０は、その印刷処理の単位で印刷済みの封入用紙と封筒用紙を、封入封緘装置４０に排出する。
【００２７】
図４は、封緘命令抽出部３１の処理手順を示すフローチャートである。封緘命令抽出部３１は、印刷制御装置２０から印刷指令を受信すると動作を開始する（ステップＳ１０のＹＥＳ）。
【００２８】
封緘命令抽出部３１は、印刷指令を解析する（ステップＳ１１）。封緘命令抽出部３１は、印刷指令から、封入用紙の紙の種別、サイズ情報、及び枚数情報等の印刷条件を抽出する。同時に、各印刷情報に対応させて未封緘命令が添付されているか否かを判定する（ステップＳ１２）。
【００２９】
印刷情報に未封緘命令が添付されている場合は、封筒用紙に未封緘マークを印刷する（ステップＳ１３）。未封緘命令は、未封緘マークを印刷した封筒用紙の排出に同期させて封入封緘装置４０に出力される。
【００３０】
なお、未封緘マークは印刷しなくてもよい。未封緘命令と封緘命令を、封入封緘装置４０に送信するだけでも構わない。
【００３１】
封緘命令が添付されている場合（未封緘命令が添付されていない場合）は、封筒用紙に未封緘マークを印刷しない（ステップＳ１２のＮＯ）。封緘命令は、封筒用紙の排出と同期させて封入封緘装置４０に出力される。
【００３２】
ステップＳ１１〜Ｓ１３の処理は、印刷指令に含まれる全ての宛先についての処理が終了するまで繰り返される（ステップＳ１４のＮＯ）。
【００３３】
（封入封緘装置）
図５は、封入封緘装置４０の概略構成を示す図である。封入封緘装置４０は、導入部４１、封筒用紙搬送部４２、整合部４３、封入用紙折り部４４、ラッピング部４５、封緘処理部４６、封緘部４７、排出部４８、封緘制御部４９、及び各部を収納または保持する筐体６０を備える。封緘制御部４９以外の機能構成部は、一般的な封入封緘装置と同じである。
【００３４】
封入封緘装置４０は、印刷装置３０で印刷された封入用紙を折り曲げて封入物を形成するとともに、印刷装置３０で印刷された封筒用紙から封筒を形成し、封入物を収納した封筒を封緘して封書を作製する。
【００３５】
＜封筒用紙＞
ここで、封入封緘装置４０において封書作製に用いられる封筒用紙ＰＥについて説明する。図６は、封筒用紙ＰＥの封入物が入れられる側の面（裏側）の平面図である。
【００３６】
図６に示すように、封筒用紙ＰＥは、搬送方向に直交する向きでお互いに間隔を空けて設けられる第１折り線１４と第２折り線１５を有し、第１折り線１４と第２折り線１５とによって区画される第１紙片１１と第２紙片１２と第３紙片１３とからなる１枚の矩形の用紙である。
【００３７】
図７に示すように、封筒用紙ＰＥは、第１紙片１１と第２紙片１２との境界の第２折り線１５、及び第２紙片１２と第３紙片１３との境界の第１折り線１４で折られることで３つ折りにされ、封筒が形成される。第２紙片１２と第３紙片１３との間に封入物Ｂが挿入される。第２紙片１２の表面には、必要に応じて、宛名、差出人印刷情報、及び未封緘マーク８が印刷される。
【００３８】
未封緘マーク８は、封緘命令生成部２１より未封緘命令が生成された場合、印刷装置３０により第１折り線１４又は第２折り線１５の少なくとも何れか一方の折り線を跨ぐ封筒用紙ＰＥの表面に印刷される。未封緘マーク８は、該封筒用紙ＰＥで形成される封筒が未封緘であることを表すマークである。
【００３９】
つまり、封筒を形成する封筒用紙ＰＥは、封筒用紙ＰＥの搬送方向に直交する向きでお互いに間隔を空けて設けられる第１折り線１４と第２折り線１５を有し、未封緘命令が生成された場合、第１折り線１４又は第２折り線１５のどちらか一方、もしくは両方の折り線を跨ぐ封筒用紙ＰＥの表面に、該封筒用紙ＰＥで形成される封筒が未封緘で有ることを表す未封緘マーク８が印刷されている。
【００４０】
これにより、未封緘マーク８は、封筒の縁部に印刷されるので、封書を重ねた場合にその有無を容易に判別することが可能になる。したがって、オペレータは、封書を積み重ねた状態であっても、封緘処理済みの封書であるか否かを容易に判別することができる。
【００４１】
第３紙片１３の表面には、第１折り線１４に沿って再湿糊６が帯状に設けられている。再湿糊６は、水に濡れると接着力を発揮する糊である。再湿糊６には、後述する封入封緘装置４０の水塗布部８４により水が塗布される。そして、図７に示すように、第１折り線１４で折られた封筒用紙ＰＥの第１紙片１１が、第３紙片１３に重なることで封筒のフラップとなる第１紙片１１が第３紙片１３に接着し、封筒が形成される。
【００４２】
封筒用紙ＰＥの第１折り線１４と第２折り線１５に平行な幅方向における両縁部の所定の位置には、感圧接着剤７が配置されている。感圧接着剤７は、圧力が加えられることで接着力を発揮する接着剤である。封筒用紙ＰＥが折り畳まれて形成された封筒の両縁部に、封入封緘装置４０の圧着ローラ９０により圧力が加えられることで、感圧接着剤７が接着力を発揮し、封筒の幅方向の両縁部が閉じられる。
【００４３】
封入封緘装置４０の説明に戻る。封緘処理部４６と封緘制御部４９を除く、他の一般的な機能構成部については構成のみを説明することにする。
【００４４】
図５において、実線で示す経路は封筒用紙経路ＲＥ、一点鎖線で示す経路は封入物経路ＲＢ、破線で示す経路が封入封緘・排紙経路ＲＭである。封筒用紙経路ＲＥの上流端は、印刷装置３０に接続されている。上流、下流は、搬送経路における上流、下流を意味する。
【００４５】
導入部４１は、印刷装置３０から印刷された封筒用紙ＰＥを取り込み、封筒用紙搬送部４２へ導く。また、導入部４１は、印刷装置３０から印刷された封入用紙ＰＢを取り込み、整合部４３へ導く。導入部４１は、導入ローラ６１と、切替部６２とを備える。
【００４６】
封筒用紙搬送部４２は、導入部４１により印刷装置３０から取り込まれた封筒用紙ＰＥをラッピング部４５へ搬送する。封筒用紙搬送部４２は、複数対の封筒用紙搬送ローラ６３と、封筒用紙レジストローラ６４とを備える。
【００４７】
整合部４３は、導入部４１により印刷装置３０から取り込まれた封書１通分の封入用紙ＰＢを整合する。整合部４３は、整合ローラ６５と、整合ゲート６６とを備える。
【００４８】
封入用紙折り部４４は、整合部４３で整合された封書１通分の封入用紙ＰＢに折り加工を施し、重ね折りされた封入物Ｂを形成する。封入用紙折り部４４は、整合部４３の下流側に配置されている。封入用紙折り部４４は、主折りローラ６７と、導入ローラ６８と、中間ローラ６９と、導出ローラ７０と、突き当て部材７１，７２と、折り切替部７３とを備える。
【００４９】
ラッピング部４５は、封筒用紙ＰＥを第１折り線１４で折りつつ、第２紙片１２と第３紙片１３との間に封入物Ｂを挟み込む（図７）。ラッピング部４５は、封入用紙折り部４４の下流側に配置されている。ラッピング部４５は、複数対の封入物搬送ローラ７４と、主折りローラ７５と、導入ローラ７６と、導出ローラ７７と、突き当て部材７８とを備える。
【００５０】
封緘処理部４６は、封入物Ｂが挟み込まれた封筒用紙ＰＥを第２折り線１５で折るとともに、フラップである第１紙片１１を第３紙片１３に接着し、封筒Ｅを形成する。封緘処理部４６は、接着入口ローラ７９と、主折りローラ８０と、導入ローラ８１と、導出ローラ８２と、突き当て部８３と、水塗布部８４と、接着出口ローラ８５とを備える。
【００５１】
封緘部４７は、封入物Ｂを収納した封筒Ｅを搬送しつつ封緘して封書Ｍを形成する。封緘部４７は圧着ローラ９０を備える。
【００５２】
排出部４８は、封書Ｍを排出する。排出部４８は、複数対の上昇ローラ１１１と、圧着出口センサ１１２と、上昇ベルト搬送部１１３と、複数のガイドローラ１１４と、排出ベルト搬送部１１５と、排出トレイ１１６とを備える。
【００５３】
封緘制御部４９は、封緘処理部４６を制御し、封緘命令が生成された場合は封筒Ｅを封緘し、未封緘命令が生成された場合は封筒Ｅを未封緘とする。本実施形態では、印刷装置３０から、封筒用紙ＰＥを取り込むのと同期して封緘命令が入力された場合、封筒Ｅを封緘する。また、印刷装置３０から、封筒用紙ＰＥを取り込むのと同期して未封緘命令が入力された場合、封筒Ｅを封緘しない。
【００５４】
図８は、封緘制御部４９の処理手順を示すフローチャートである。封緘制御部４９は、印刷装置３０から封緘命令又は未封緘命令が入力されると動作を開始する（ステップＳ２０）。
【００５５】
封緘制御部４９は、次に印刷装置３０から入力された命令が封緘命令であるのか否かを判定する（ステップＳ２１）。封緘命令でない場合（未封緘命令の場合）は、水塗布部８４による再湿糊６への水の塗布を禁止する（ステップＳ２２）。封緘命令である場合は、水塗布部８４による再湿糊６への水の塗布を許可する（ステップＳ２３）。
【００５６】
再湿糊６は、水が塗布されないと接着力を発揮しない。したがって、未封緘命令が生成された場合は、封緘処理部４６の主折りローラ８０と導出ローラ８２とにより、第１紙片１１が第３紙片１３に折り重ねられても封筒Ｅは封緘されない。
【００５７】
本実施形態に係る封書作製装置１によれば、入力される宛先に基づいて、該宛先の属性が記憶されたデータベース２４を参照し、参照した属性に応じて封緘命令又は未封緘命令を生成する。これにより、それぞれの命令に応じて封緘処理を実行するので、封書作製ジョブを停止させることなく、封緘した封書と未封緘の封書を連続的に作製できる。よって、封書作製ジョブの生産性を向上させることができる。
【００５８】
〔第２実施形態〕
図９は、第２実施形態に係る封書作製装置２の機能構成例を示すブロック図である。図９に示す封書作製装置２は、封書作製装置１（図１）と同様に、印刷制御装置２０、印刷装置３０、及び封入封緘装置４０で構成される。図９において、印刷制御装置２０、及び印刷装置３０の印刷部３２の表記は省略している。
【００５９】
封書作製装置２は、印刷装置３０が封緘命令生成部２２を備える点で封書作製装置１と異なる。つまり、封書作製装置２の印刷装置は、一般的な印刷指令を受信し、該印刷指令を解析して封緘命令と未封緘命令を生成するものである。
【００６０】
封緘命令生成部２２は、印刷装置３０に配置され、印刷制御装置２０からの印刷指令を受信し、該印刷指令を解析して該印刷指令に含まれる宛先を抽出し、該宛先の属性が記憶されたデータベース２４を参照し、参照した属性に応じて封緘命令又は未封緘命令を生成して封入封緘装置４０へ出力する。これにより、本実施形態に係る封書作製装置２は、封緘された封書と未封緘の封書が混在する封書作製ジョブを、連続的に行うことができる。また、封書作製装置２は、一般的な印刷制御装置が生成する印刷指令から封緘命令と未封緘命令を生成することができる。よって、印刷制御装置に実装されるプリンタドライバーは一般的なもので良いという利点がある。
【００６１】
図１０は、封緘命令抽出部３１と封緘命令生成部２２の処理手順を示すフローチャートである。封緘命令抽出部３１は、印刷制御装置２０から印刷指令を受信すると動作を開始する（ステップＳ３０）。
【００６２】
封緘命令抽出部３１は、印刷指令を解析する（ステップＳ３１）。次に封緘命令抽出部３１は、印刷指令から、宛先を抽出する（ステップＳ３２）。抽出した宛先は、封緘命令生成部２２に入力される。
【００６３】
封緘命令生成部２２は、宛先が入力されると宛先をキーに、データベース２４を参照し、宛先の属性が未封緘対象であるのか否か判定する（ステップＳ３３）。宛先の属性が未封緘対象である場合は、未封緘命令を生成する（ステップＳ３４）。宛先の属性が封緘対象で有る場合は、封緘命令を生成する（ステップＳ３５）。
【００６４】
封緘命令抽出部３１は、未封緘命令が生成された場合、対応する封筒用紙ＰＥに宛先と未封緘マークを印刷する（ステップＳ３６）。封緘命令が生成された場合、対応する封筒用紙ＰＥに宛先のみを印刷する（ステップＳ３７）。
【００６５】
ステップＳ３１〜Ｓ３７の処理は、全ての宛先について終了するまで繰り返される（ステップＳ３８のＮＯ）。封入封緘装置４０の動作は、第１実施形態にて説明した封書作製装置１（図１）と同じであるため省略する。
【００６６】
〔第３実施形態〕
図１１は、第３実施形態に係る封書作製装置３の機能構成例を示すブロック図である。図１１に示す封書作製装置３は、封書作製装置１,２（図１、図９）と同様に、印刷制御装置２０、印刷装置３０、及び封入封緘装置４０で構成される。図１１において、印刷制御装置２０の表記は省略している。また、作図の都合でデータベース２４の表記も省略している。
【００６７】
封書作製装置３は、封入封緘装置４０が封緘命令生成部２３を備える点で封書作製装置１,２と異なる。つまり、封書作製装置２の封入封緘装置４０は、印刷された封入用紙ＰＢ又は印刷された封筒用紙ＰＥから宛先を抽出し、封緘命令と未封緘命令を生成するものである。
【００６８】
封緘命令生成部２３は、封入封緘装置４０に配置され、導入部４１近傍に設置された読み取り手段（図示せず）により印刷された封入用紙ＰＢ又は印刷された封筒用紙ＰＥを読み取り、この読み取り結果から光学文字認識により宛先を抽出し、該宛先の属性が記憶されたデータベース２４を参照し、参照した属性に応じて封緘命令又は未封緘命令を生成する。本実施形態に係る封書作製装置３は、封緘された封書と未封緘の封書が混在する封書作製ジョブを停止させることなく、封緘した封書と未封緘の封書を連続的に作製できる。また、本実施形態に係る封書作製装置３は、封入封緘装置４０が封緘命令と未封緘命令を生成するので、印刷制御装置と印刷装置は一般的なもので良いという利点がある。
【００６９】
図１２は、封緘命令生成部２３と封緘制御部４９の処理手順を示すフローチャートである。封緘命令生成部２３は、印刷装置３０から、印刷済みの封入用紙ＰＢと封筒用紙ＰＥを取り込むと動作を開始する（ステップＳ４０）。
【００７０】
封緘命令生成部２３は、印刷済みの封入用紙ＰＢと封筒用紙ＰＥの印刷情報を光学文字認識（ＯＣＲ）することで、宛先を抽出する（ステップＳ４１）。光学文字認識する用紙は、封入用紙ＰＢと封筒用紙ＰＥのどちらか一方でも構わない。
【００７１】
次に、封緘命令生成部２３は、抽出した宛先の属性が未封緘対象であるのか否かをデータベース２４を参照して判定する（ステップＳ４２）。宛先の属性が未封緘対象である場合は、未封緘命令を生成する（ステップＳ４３）。宛先の属性が封緘対象で有る場合は、封緘命令を生成する（ステップＳ４５）。
【００７２】
封緘制御部４９は、未封緘命令が生成されると、水塗布部８４による再湿糊６への水の塗布を禁止する（ステップＳ４４）。封緘命令が生成されると水塗布部８４による再湿糊６への水の塗布を許可する（ステップＳ４６）。
【００７３】
再湿糊６は、水が塗布されないと接着力を発揮しないので、未封緘命令が生成された場合、封筒Ｅは封緘されない。
【００７４】
以上述べたように第１実施形態の封書作製装置１（図１）、第２実施形態の封書作製装置２（図９）、及び第３実施形態の封書作製装置３（図１１）のそれぞれは、宛先の属性に対応させて、封書を封緘する封緘命令、又は封書を未封緘とする未封緘命令を生成する封緘命令生成部と、封緘命令が生成された場合は封筒を封緘し、未封緘命令が生成された場合は封筒を未封緘とする封緘制御部とを備える。これにより、本発明に係る封書作製装置１,２,３は、印刷から封入封緘まで一貫して行うインラインメーリングシステムにおいて、封緘された封書と未封緘の封書が混在する封書作製ジョブを停止させることなく、封緘した封書と未封緘の封書を連続的に作製できる。よって、封書作製ジョブの生産性を向上させることができる。
【００７５】
なお、上記の実施の形態では、未封緘命令が生成された場合に、封筒用紙ＰＥに未封緘マークを印刷する例で説明を行ったが、この例に限定されない。未封緘マークが印刷された封筒用紙ＰＥと、未封緘マークが印刷されていない封筒用紙ＰＥを、印刷装置の２つのトレイにそれぞれ配置して置き、命令に対応させてどちらかの封筒用紙ＰＥを印刷装置が選択するようにしてもよい。
【００７６】
また、説明した実施形態では、封筒の縁部に未封緘マーク８が印刷されるので、封書を重ねた場合にその判別を容易にする効果が得られるが、未封緘マーク８を仕分け装置で仕分けるようにしてもよい。つまり、本発明に係る封筒作製装置は、仕分け装置を含めて構成してもよい。また、印刷装置で封緘済みの封筒と未封緘の封筒を、別々に排出するようにしてもよい。
【００７７】
また、封筒用紙ＰＥの形状は洋封筒の例で説明したが、封筒形状は洋封筒に限定されない。封筒の形状は、他の長形、角形等であっても構わない。
【００７８】
このように、本発明はここでは記載していない様々な実施形態等を含むことは勿論である。したがって、本発明の技術的範囲は上記の説明から妥当な特許請求の範囲に係る発明特定事項によってのみ定められるものである。
【００７９】
[付記]
本出願は、以下の発明を開示する。
【００８０】
（付記１）
内容物が封筒に挿入された状態で封緘処理を実行可能な封緘処理部を備えた封書作製装置であって、
宛先の属性に対応させて、封書を封緘する封緘命令、又は封書を未封緘とする未封緘命令を生成する封緘命令生成部と、
前記封緘処理部を制御し、前記封緘命令が生成された場合は封筒を封緘し、前記未封緘命令が生成された場合は封筒を未封緘とする封緘制御部と
を備えることを特徴とする封書作製装置。
【００８１】
（付記２）
前記封書作製装置は、印刷制御装置と印刷装置と封入封緘装置とで構成され、
前記封緘命令生成部は、前記印刷制御装置に配置され、
入力される宛先に基づいて、該宛先の属性が記憶されたデータベースを参照し、前記属性に応じて前記封緘命令又は前記未封緘命令を生成して前記印刷装置又は前記封入封緘装置の少なくともいずれかへ出力する
ことを特徴とする付記１に記載の封書作製装置。
【００８２】
（付記３）
前記封書作製装置は、印刷制御装置と印刷装置と封入封緘装置とで構成され、
前記封緘命令生成部は、前記印刷装置に配置され、
前記印刷制御装置からの印刷指令を受信し、該印刷指令を解析して該印刷指令に含まれる宛先を抽出し、該宛先の属性が記憶されたデータベースを参照し、前記属性に応じて前記封緘命令又は前記未封緘命令を生成して前記封入封緘装置へ出力する
ことを特徴とする付記１に記載の封書作製装置。
【００８３】
（付記４）
封筒を形成する封筒用紙は、
該封筒用紙の搬送方向に直交する向きでお互いに間隔を空けて設けられる第１折り線と第２折り線を有し、
前記封緘命令生成部より前記未封緘命令が生成された場合、前記印刷装置により前記第１折り線又は第２折り線の少なくともどちらか一方の折り線を跨ぐ前記封筒用紙の表面に、該封筒用紙で形成される封筒が未封緘であることを表す未封緘マークが印刷される
ことを特徴とする付記２又は３に記載の封書作製装置。
【符号の説明】
【００８４】
１、２、３  封書作製装置
２０  印刷制御装置
２１、２２、２３  封緘命令生成部
２４  データベース
３０  印刷装置
３１  封緘命令抽出部
４０  封入封緘装置
４１  導入部
４２  封筒用紙搬送部
４３  整合部
４４  封入用紙折り部
４５  ラッピング部
４６  封緘処理部
４７  封緘部
４８  排出部
４９  封緘制御部
６０  筐体
ＰＢ  封入用紙
ＰＥ  封筒用紙
【図１】
2019089588.tif 000003
【図２】
2019089588.tif 000004
【図３】
2019089588.tif 000005
【図４】
2019089588.tif 000006
【図５】
2019089588.tif 000007
【図６】
2019089588.tif 000008
【図７】
2019089588.tif 000009
【図８】
2019089588.tif 000010
【図９】
2019089588.tif 000011
【図１０】
2019089588.tif 000012
【図１１】
2019089588.tif 000013
【図１２】
2019089588.tif 000014